(57)【要約】【課題】再生機器を操作性よく制御することが可能となる情報処理装置、情報処理方法、プログラム、及び情報処理システムを提供すること。【解決手段】本技術の一形態に係る情報処理装置は、取得部と、生成部とを具備する。前記取得部は、再生機器から出力される機器特徴情報を取得する。前記生成部は、前記取得された機器特徴情報に基づいて、前記再生機器の特徴が反映された画像を生成する。【選択図】図４
2018032269.tif 000002
【特許請求の範囲】
【請求項１】
再生機器から出力される機器特徴情報を取得する取得部と、
前記取得された機器特徴情報に基づいて、前記再生機器の特徴が反映された画像を生成する生成部と
を具備する情報処理装置。
【請求項２】
請求項１に記載の情報処理装置であって、
前記機器特徴情報は、前記再生機器の色を含み、
前記生成部は、前記再生機器の色が反映された前記再生機器のアイコンを生成する
情報処理装置。
【請求項３】
請求項１に記載の情報処理装置であって、
前記機器特徴情報は、前記再生機器の色を含み、
前記生成部は、前記再生機器の色が反映された、前記再生機器を制御するためのＧＵＩ（Graphical User Interface）を生成する
情報処理装置。
【請求項４】
請求項３に記載の情報処理装置であって、
前記生成部は、前記再生機器の色と略等しい色の背景色を有する制御画面を生成する
情報処理装置。
【請求項５】
請求項１に記載の情報処理装置であって、
前記機器特徴情報は、前記再生機器のシステム情報を含み、
前記生成部は、前記再生機器のシステム情報が反映された前記再生機器のアイコンを生成する
情報処理装置。
【請求項６】
請求項５に記載の情報処理装置であって、
前記システム情報は、前記再生機器を構成する機能部品の情報を含み、
前記生成部は、前記機能部品の情報が反映された前記再生機器のアイコンを生成する
情報処理装置。
【請求項７】
請求項６に記載の情報処理装置であって、
前記機能部品の情報は、スピーカの情報を含み、
前記生成部は、前記スピーカの情報が反映された前記再生機器のアイコンを生成する
情報処理装置。
【請求項８】
請求項１に記載の情報処理装置であって、
前記生成部は、前記機器特徴情報を取得できない前記再生機器については、予め定められた画像を生成する
情報処理装置。
【請求項９】
再生機器から出力される機器特徴情報を取得し、
前記取得された機器特徴情報に基づいて、前記再生機器の特徴が反映された画像を生成する
ことをコンピュータシステムが実行する情報処理方法。
【請求項１０】
再生機器から出力される機器特徴情報を取得するステップと、
前記取得された機器特徴情報に基づいて、前記再生機器の特徴が反映された画像を生成するステップと
をコンピュータシステムに実行させるプログラム。
【請求項１１】
機器特徴情報を出力する再生機器と、
前記再生機器から出力される機器特徴情報を取得する取得部と、
前記取得された機器特徴情報に基づいて、前記再生機器の特徴が反映された画像を生成する生成部と
を有する情報処理装置と
を具備する情報処理システム。
【発明の詳細な説明】
【技術分野】
【０００１】
本技術は、再生機器の制御に適用可能な情報処理装置、情報処理方法、プログラム、及び情報処理システムに関する。
【背景技術】
【０００２】
従来、家庭内にホームネットワークを構築し、そこに接続された再生装置により、音楽や映像等のコンテンツを再生するシステムが知られている。例えば特許文献１には、ネットワークに接続された複数の再生装置によりグループを構成し、同一のコンテンツを同時に再生させるマルチルーム再生の制御方法について記載されている。ユーザが操作するタッチパネルに表示されたグループの状態を表す画像を適宜操作することで、グループの新規作成や解散、グループへの新規追加やグループからの離脱等を操作性よく実行することが可能となっている（特許文献１の明細書段落［００４３］〜［００４６］図３から図１７等）。
【０００３】
また特許文献２には、携帯電子機器の製造番号に基づいて、筐体のデザインのイメージに合った待ち受け画像やメニュー画像等を表示させる技術が記載されている。これによりユーザの使用感やメニュー画面の操作性の向上が図られている（特許文献２の明細書段落［００４７］〜［００５８］図６〜図９等）。
【先行技術文献】
【特許文献】
【０００４】
【特許文献１】国際公開第２０１６／１０３５４６号
【特許文献２】特開２０１０−８７６０５号公報
【発明の概要】
【発明が解決しようとする課題】
【０００５】
今後もネットワークやBluetooth（登録商標）等の無線通信を介した再生機器の制御は多く利用されると考えられ、ユーザの操作性を向上可能な技術が求められている。
【０００６】
以上のような事情に鑑み、本技術の目的は、再生機器を操作性よく制御することが可能となる情報処理装置、情報処理方法、プログラム、及び情報処理システムを提供することにある。
【課題を解決するための手段】
【０００７】
上記目的を達成するため、本技術の一形態に係る情報処理装置は、取得部と、生成部とを具備する。
前記取得部は、再生機器から出力される機器特徴情報を取得する。
前記生成部は、前記取得された機器特徴情報に基づいて、前記再生機器の特徴が反映された画像を生成する。
【０００８】
この情報処理装置では、再生機器から出力された機器特徴情報に基づいて、再生機器の特徴が反映された画像が表示される。これにより制御対象の再生機器を容易に把握することが可能となり、操作性よく再生機器を制御することが可能となる。
【０００９】
前記機器特徴情報は、前記再生機器の色を含んでもよい。この場合、前記生成部は、前記再生機器の色が反映された前記再生機器のアイコンを生成してもよい。
これにより制御対象の再生機器を容易に把握することが可能となる。
【００１０】
前記生成部は、前記再生機器の色が反映された、前記再生機器を制御するためのＧＵＩ（Graphical User Interface）を生成してもよい。
これによりＧＵＩを介して制御している再生機器を容易に把握することができる。
【００１１】
前記生成部は、前記再生機器の色と略等しい色の背景色を有する制御画面を生成してもよい。
これにより制御画面を操作して制御している再生機器を容易に把握することができる。
【００１２】
前記機器特徴情報は、前記再生機器のシステム情報を含んでもよい。この場合、前記生成部は、前記再生機器のシステム情報が反映された前記再生機器のアイコンを生成してもよい。
これにより制御対象の再生機器を容易に把握することが可能となる。
【００１３】
前記システム情報は、前記再生機器を構成する機能部品の情報を含んでもよい。この場合、前記生成部は、前記機能部品の情報が反映された前記再生機器のアイコンを生成してもよい。
機能部品の情報が反映されることで、制御対象の再生機器を容易に把握することが可能となる。
【００１４】
前記機能部品の情報は、スピーカの情報を含んでもよい。この場合、前記生成部は、前記スピーカの情報が反映された前記再生機器のアイコンを生成してもよい。
スピーカの情報が反映されることで、制御対象の再生機器を容易に把握することが可能となる。
【００１５】
前記生成部は、前記機器特徴情報を取得できない前記再生機器については、予め定められた画像を生成してもよい。
これにより機器特徴情報が取得されない場合でも、再生機器のアイコン等を表示することが可能となり、高い操作性を維持することができる。
【００１６】
本技術の一形態に係る情報処理方法は、コンピュータシステムにより実行される情報処理方法であって、再生機器から出力される機器特徴情報を取得することを含む。
前記取得された機器特徴情報に基づいて、前記再生機器の特徴が反映された画像が生成される。
【００１７】
本技術の一形態に係るプログラムは、コンピュータシステムに以下のステップを実行させる。
再生機器から出力される機器特徴情報を取得するステップ。
前記取得された機器特徴情報に基づいて、前記再生機器の特徴が反映された画像を生成するステップ。
【００１８】
本技術の一形態に係る情報処理システムは、前記再生機器と、前記情報処理装置とを具備する。
【発明の効果】
【００１９】
以上のように、本技術によれば、再生機器を操作性よく制御することが可能となる。なお、ここに記載された効果は必ずしも限定されるものではなく、本開示中に記載されたいずれかの効果であってもよい。
【図面の簡単な説明】
【００２０】
【図１】本実施形態に係るコンテンツ再生システムの構成例を示す概略図である。
【図２】携帯端末の構成例を示すブロック図である。
【図３】複数の再生機器、サーバ装置及び携帯端末の接続形態を模式的に示す図である。
【図４】再生機器のアイコン及び制御用のＧＵＩの生成の一例を示すフローチャートである。
【図５】ＢＬＥ通信を介した機器特徴情報の取得例を示すシーケンス図である。
【図６】ＢＴ通信を介した機器特徴情報の取得例を示すシーケンス図である。
【図７】ホームネットワークを介した機器特徴情報の取得例を示すシーケンス図である。
【図８】機器選択画面の構成例を示す模式図である。
【図９】制御用のＧＵＩの構成例を示す模式図である。
【図１０】制御用のＧＵＩの構成例を示す模式図である。
【図１１】制御用のＧＵＩの構成例を示す模式図である。
【図１２】他の実施形態に係る機器選択画面の構成例を示す模式図である。
【発明を実施するための形態】
【００２１】
以下、本技術に係る実施形態を、図面を参照しながら説明する。
【００２２】
［コンテンツ再生システム］
図１は、本技術に係る情報処理システムの一実施形態であるコンテンツ再生システムの構成例を示す概略図である。コンテンツ再生システム１００は、家庭内に構築されたホームネットワーク１と、これに接続された複数の再生機器１０、コンテンツを提供するサーバ装置２０、及び携帯端末３０を有する。
【００２３】
複数の再生機器１０、サーバ装置２０、及び携帯端末３０は、アクセスポイント５を介して、ＷｉＦｉ等の無線ＬＡＮ通信によりホームネットワーク１に接続される。ホームネットワーク１としては、例えばＤＬＮＡ（登録商標）（Digital Living Network Alliance）規格に準拠したネットワークが用いられる。
【００２４】
例えば複数の再生機器１０はＤＭＲ（Digital Media Renderer）として機能し、サーバ装置２０はＤＭＳ（Digital Media Server）として機能する。また携帯端末３０は、ＤＭＣ（Digital Media Controller）として機能する。なお他のプロトコルを利用したネットワークが構築される場合にも、本技術は適用可能である。
【００２５】
図１に示すように、複数の再生機器１０は、リビングルーム、ホビールーム、及びベッドルームの各部屋に配置される。携帯端末３０は、例えばＵＰｎＰ（Universal Plug and Play）の制御メッセージ等を用いて、各再生機器１０に、サーバ装置２０からコンテンツを取得して再生する指示を送信する。
【００２６】
従ってユーザは、携帯端末３０を操作することで、各部屋に配置された再生機器１０の再生動作を制御することができる。なおBluetooth（登録商標）等の近距離無線通信を利用して、再生機器１０にコンテンツを再生させることも可能である。
【００２７】
本実施形態では、複数の再生機器１０により音楽コンテンツが再生される。しかしながら、本技術は、音楽コンテンツの再生に限定されず、映像等の種々のコンテンツの再生に適用可能である。また再生機器１０やサーバ装置２０等の数も限定されない。
【００２８】
再生機器１０としては、例えばテレビジョン装置、ＰＣ（Personal computer）、オーディオビデオレシーバ、ビデオモニタ、又は家庭用ゲーム機器等の、種々のＣＥ（Consumer Electronics）機器が用いられる。また車に搭載される車載オーディオや、ユーザに装着されるヘッドフォン等も、本技術に係る再生機器に含まれる。
【００２９】
サーバ装置２０としては、例えばＰＣ又はネットワーク対応のＨＤＤ（ＮＡＳ）等が用いられる。携帯端末３０としては、典型的にはスマートフォンが用いられるが、これに限定されずタブレット端末等の種々のＰＤＡ（Personal Digital Assistant）が用いられてもよい。その他、種々のコンピュータが、本技術に係る情報処理装置として使用可能である。
【００３０】
［携帯端末の構成］
図２は、携帯端末３０の構成例を示すブロック図である。携帯端末３０は、ＣＰＵ（Central Processing Unit）３１、ＲＯＭ（Read Only Memory）３２、ＲＡＭ（Random Access Memory）３３、スピーカ３４、ディスプレイ３５、及びタッチパネル３６を有する。また携帯端末３０は、赤外線（ＩＲ）通信部３７、外部Ｉ／Ｆ（インタフェース）３８、キー／スイッチ３９、及び撮像部４０を有する。さらに携帯端末３０は、ネットワークモジュール４１、及びBluetoothモジュール４２を有する。
【００３１】
ＣＰＵ３１は、携帯端末３０の各ブロックと信号をやり取りして各種演算を行い、再生機器１０へのコンテンツの再生指示や、ディスプレイ３５（タッチパネル３６）へのＧＵＩ（Graphical User Interface）の表示等、携帯端末３０で実行される種々の処理を統括的に制御する。
【００３２】
ＲＯＭ３２は、種々の画像データやメタデータ等のＣＰＵ３１が処理する各種のデータや、アプリケーション等の各種のプログラムを記憶する。ＲＡＭ３３は、ＣＰＵ３１の作業領域として用いられる。アプリケーション等のプログラムが実行される際には、その実行に必要な各種データがＲＡＭ３３へ読み出される。
【００３３】
ＲＯＭ３２に代えて又は追加して、ＨＤＤ（Hard Disk Drive）や、フラッシュメモリ、その他の固体メモリ等の不揮発性メモリが設けられてもよい。そしてこれらの記憶デバイスに、上記した各種のデータやプログラムが記憶されてもよい。
【００３４】
スピーカ３４は、音楽コンテンツの再生やユーザへの音声ガイド等を出力する。ディスプレイ３５は、例えば液晶やＥＬ（Electro-Luminescence）等を用いた表示デバイスであり、種々のＧＵＩ等を表示する。図２に示すように、ディスプレイ３５はタッチパネル３６と一体的に構成される。
【００３５】
ＩＲ通信部３７は、外部機器とＩＲ通信を実行するためのモジュールである。外部Ｉ／Ｆ３８は、例えばＵＳＢやＨＤＭＩ（登録商標）（High-Definition Multimedia Interface）等の規格に基づいて、外部機器と接続するためのインタフェースである。
【００３６】
キー／スイッチ３９は、例えば電源スイッチ、ショートカットキー等、特にタッチパネル３６では入力できないユーザの操作等を受け付ける。撮像部４０は、例えばＣＭＯＳ（Complementary Metal Oxide Semiconductor）やＣＣＤ（Charge Coupled Devices）センサ等を有し被写体のデジタル画像を生成する。
【００３７】
ネットワークモジュール４１は、ホームネットワーク１に接続するためのインタフェースであり、例えばＷｉＦｉ等の無線ＬＡＮモジュールが用いられる。ネットワークモジュール４１が動作することで、再生機器１０やサーバ装置２０との間で無線通信が可能となる。
【００３８】
Bluetoothモジュール４２は、複数の再生機器１０の各々との間で、Bluetooth規格に準拠した近距離無線通信を実行するためのモジュールである。本実施形態では、ＢＬＥ（Bluetooth Low Energy）規格に準拠した通信（ＢＬＥ通信）、及びClassic Bluetooth規格に準拠した近距離無線通信（ＢＴ通信）が実行可能である。
【００３９】
本実施形態では、ＢＬＥ通信及びＢＴ通信を介して、再生機器１０の動作を制御することが可能である。例えばホームネットワーク１に接続されない非ネットワーク対応の再生機器に対しても、ＢＬＥ通信等の近距離無線通信を介して、その動作を制御することが可能である。なお本技術は、他の任意の規格に準拠した近距離無線通信に適用可能である。
【００４０】
上記のようなハードウェア構成を有する携帯端末３０による情報処理は、ＲＯＭ３２等に記憶されたソフトウェアと、携帯端末３０のハードウェア資源との協働により実現される。例えばＣＰＵ３１がＲＯＭ３２等に記憶された本技術に係るプログラム（アプリケーション）をＲＡＭ３３にロードして実行することにより、本技術に係る情報処理方法が実現される。
【００４１】
図２に示すように、本実施形態では、ＣＰＵ３１が所定のプログラムを実行することにより、機能ブロックである情報取得部４３及び画像生成部４４が実現される。これらのブロックを実現するために、ＩＣ（集積回路）等の専用のハードウェアが適宜用いられてもよい。
【００４２】
アプリケーション等のプログラムは、例えばグローバルネットワークから携帯端末３０にインストールされる。あるいは、記録媒体を介してプログラムが携帯端末３０にインストールされてもよい。
【００４３】
［コンテンツの再生］
図３は、複数の再生機器１０、サーバ装置２０、及び携帯端末３０の接続形態を模式的に示す図である。なお複数の再生機器１０の各々には、ネットワークモジュール１１及びBluetoothモジュール１２がそれぞれ設けられている。
【００４４】
上記でも説明したが、複数の再生機器１０、サーバ装置２０、及び携帯端末３０は、無線ＬＡＮ通信により、アクセスポイント５を介して互いに接続可能である（破線の矢印Ｌ）。携帯端末３０は、制御メッセージ等を送信することで、再生機器１０によるコンテンツの再生動作を制御することができる。
【００４５】
また携帯端末３０は、ＢＬＥ通信等により、各再生機器１０と直接的に接続可能である（実線の矢印Ｎ）。ＢＬＥ通信等により、再生機器１０による再生動作を制御することが可能である。また各再生機器１０のBluetoothモジュール１２により、ビーコン信号５０が出力される。ビーコン信号には、再生機器１０の型番等の機器情報やBluetoothアドレス等のユニークなＩＤが含まれる。
【００４６】
本実施形態では、複数の再生機器１０を同期させて同一のコンテンツを再生させる、コンテンツの同期再生（マルチルーム再生）が可能である。コンテンツの同期再生は、各再生機器１０による再生動作を互いに同期させることで実現する。例えば同期再生の対象となる複数の再生機器１０の各々に、同期再生の指示が送信される。あるいは複数の再生機器１０のうちの１つの再生機器１０から、他の再生機器１０にコンテンツが同期配信されてもよい。
【００４７】
［アイコン及びＧＵＩの生成］
図４は、本実施形態に係る再生機器１０のアイコン、及び制御用のＧＵＩの生成の一例を示すフローチャートである。
【００４８】
まず図２に示す情報取得部４３により、再生機器１０から出力された機器特徴情報が取得される（ステップ１０１）。機器特徴情報は、ＢＬＥ通信、ＢＴ通信、又はホームネットワーク１を介して取得される。図４に示す例では、機器特徴情報として、再生機器１０の色が出力される。再生機器１０の色は、典型的には、再生機器１０を構成する筐体等の外装色が相当する。その他、再生機器１０の特徴的な部分に付された色が、再生機器１０の色として出力されてもよい。
【００４９】
画像生成部４４により、取得された機器特徴情報に基づいて、再生機器１０の特徴が反映された画像が生成される。本実施形態では、再生機器１０の色が反映された、再生機器１０のアイコン、及び再生機器１０を制御するための種々のＧＵＩが生成される（ステップ１０２）。
【００５０】
図５〜図７は、ＢＬＥ通信、ＢＴ通信、及びホームネットワーク１を介した機器特徴情報の取得例を示すシーケンス図である。図８〜図１１は、機器特徴情報に基づいて生成されるアイコン、及びＧＵＩの一例を示す模式図である。
【００５１】
図５に示すように、再生機器１０により、所定の間隔でビーコン信号５０が送信される（ステップ２０１）。ビーコン信号５０には、再生機器１０の機器情報やBluetoothアドレス等が含まれる。本実施形態では、機器情報の中に、機器特徴情報としての再生機器１０の色情報が含まれる。
【００５２】
携帯端末３０は、ビーコン信号５０を受信し、再生機器１０を検出する。そして検出した再生機器１０のアイコンを含む、機器選択画面を生成する（ステップ２０２）。
【００５３】
図８は、機器選択画面６０の構成例を示す模式図である。機器選択画面６０には、携帯端末３０により検出された１以上の再生機器１０がリスト表示される。本実施形態では、再生機器１０のアイコン６１、機器名、及びブランド名が表示される。
【００５４】
図８に示すように、再生機器１０のアイコン６１には、色が付されている。デバイスＡのアイコン６１ａは、外装色が赤色（Red）となっており、デバイスＢのアイコン６１ｂは、外装色が緑色（Green）となっている。またデバイスＣのアイコン６１ｃは、外装色が白色（White）となっている。これらアイコン６１の色は、再生機器１０から出力された再生機器１０の色情報に基づいて決定される。すなわち本実施形態では、再生機器１０の色が反映されたアイコン６１が生成される。
【００５５】
例えば再生機器１０から「Red1」「Red2」・・・、「Green1」「Green2」・・・、「Blue1」「Blue 2」・・・等の、色指定情報が、機器特徴情報として出力される。当該色指定情報は、典型的には、再生機器１０のメモリ等に予め記憶されている。あるいはユーザにより事後的に設定されてもよい。
【００５６】
携帯端末３０のＲＯＭ３２等には、色指定情報と色情報とが関連付けられたカラーテーブルが記憶されている。携帯端末３０の画像生成部４４は、カラーテーブルを参照して、受け取った色指定情報に対応する色情報を読み出す。そして読み出した色情報に基づいて、色が反映されたアイコン６１を生成する。色情報としては、例えばＨＴＭＬの色コード等が用いられるが、これに限定される訳ではない。
【００５７】
再生機器１０から、機器特徴情報として、色コード等の色情報がそのまま出力されてもよい。その他、色の情報を伝達する方法や利用されるデータ形式等は、任意に設定されてよい。
【００５８】
なお再生機器１０の色を反映するとは、再生機器１０の色と厳密に同じ色が用いられる場合に限定されず、再生機器１０の色と近似した色が用いられる場合も含まれる。本開示では、厳密に等しい色、及び近似した色の両方を含む概念として、略等しい色と記載する。
【００５９】
機器選択画面６０内の再生機器１０が選択されると、選択された再生機器１０に携帯端末３０からＢＬＥ接続の要求が送信される（ステップ２０３）。当該要求に応答することで、携帯端末３０及び再生機器１０がＢＬＥ接続状態となり、ＢＬＥ通信（図３の矢印Ｎ）が確立される（ステップ２０４）。
【００６０】
なおＢＬＥ接続は、ペアリングを実行する形態と、ペアリングすることなく接続する形態のいずれもが可能である。図５に示すＢＬＥ接続は、ペアリングと、ペアリングレスの接続との両方を含む。なおペアリングが実行される場合には、携帯端末３０と、再生機器１０との間で、パスキー認証等が実行される（図示は省略）。
【００６１】
ＢＬＥ接続が確立すると、携帯端末３０により、再生機器１０を制御することが可能となる。例えば再生機器１０の電源制御（例えばスタンバイ状態とアクティブ状態との切り替え）、コンテンツの再生音量の制御、再生対象となるコンテンツの切り替え、コンテンツのフェードイン／フェードアウト等の種々の制御が可能である。
【００６２】
本実施形態では、画像生成部４４により、再生機器１０を制御するための種々のＧＵＩ（制御画面）が生成される（ステップ２０５）。当該ＧＵＩを介して入力された操作に応じて、制御コマンドが生成され、再生機器１０に送信される（ステップ２０６）。制御コマンドに基づいて、再生機器１０の動作が制御され、その結果が携帯端末３０にフィードバックされる（ステップ２０７、２０８）。
【００６３】
図９〜図１１は、制御用のＧＵＩの構成例を示す模式図である。図９〜図１１に示す制御画面７０は、図８に示すデバイスＡ〜Ｃの各々を制御するためのＧＵＩである。本実施形態では、再生機器１０の色が反映されたＧＵＩが生成される。具体的には、再生機器１０の色と略等しい色を背景色とする制御画面７０ａ〜７０ｃが生成される。
【００６４】
各制御画面７０は、機器表示部７１と、情報表示部７２と、再生制御部７３とを有する。機器表示部７１には、制御対象となる再生機器１０のアイコン６１、機器名、及びブランド名が表示される。アイコン６１には、再生機器１０の色が反映されている。
【００６５】
情報表示部７２には、コンテンツの再生に関する種々の情報が表示される。図９〜図１１に示す例では、再生するコンテンツの種類が、選択可能に表示されている。その他、情報表示部７２には、選択されたコンテンツの詳細情報や、再生機器１０の設定情報等の種々の情報が表示される。
【００６６】
再生制御部７３には、複数の制御ボタン７４やボリューム調整バー７５が表示される。再生制御部７３を操作することで、再生機器１０によるコンテンツの再生を制御することが可能となる。
【００６７】
本実施形態では、各制御画面７０の機器表示部７１及び再生制御部７３の背景色として、再生機器１０の色と略等しい色が採用される。デバイスＡの制御画面７０ａでは赤色（Red）の背景色となり、デバイスＢの制御画面７０ｂでは緑色（Green）の背景色となっている。またデバイスＣの制御画面７０ｃでは、白色（White）の背景色となっている。なお画面の背景色とは、画面の背景の全体に付される色のみならず、背景の一部に付される色も含まれる。
【００６８】
再生機器１０の色が反映された制御画面７０の構成は限定されず、任意に設計されてよい。例えば制御画面７０の周りを囲むように、再生機器１０の色と略等しい色の枠が表示されてもよい。あるいは制御画面７０の所定の位置に、所定の形のアイコンが、再生機器１０の色と略等しい色にて表示されてもよい。なおこれらの構成は、再生機器１０の色と略等しい色の背景色を有する構成とも言える。いずれにせよ再生機器１０の色が自然と意識される画面構成や表現方法が適宜採用されてよい。
【００６９】
再生機器１０の色が反映された制御画面７０が表示されることで、制御対象となる再生機器１０を容易に把握することが可能となる。また例えば図８に示す機器選択画面６０から各再生機器１０を制御するための制御画面７０ａ〜７０ｃに、画面が切替えられるとする。このような場合に同じ色が反映されているので、色の統一感を感じることが可能となり、非常に高い操作性を発揮することが可能となる。
【００７０】
図６に示すＢＴ通信では、携帯端末３０からＢＴ情報の要求がブロードキャストで送信される（ステップ３０１）。周囲にペアリングモードの再生機器１０が存在する場合には、当該再生機器１０によりＢＴ情報が返される（ステップ３０２）。当該ＢＴ情報は、機器情報やBluetoothアドレスが含まれるが、機器特徴情報は含まれない。
【００７１】
携帯端末３０は、再生機器１０から送信されたＢＴ情報により、再生機器１０を検出する。そして検出した再生機器１０のアイコンを含む、機器選択画面を生成する（ステップ３０３）。この際には、再生機器１０の色が反映されていないアイコンが生成されて表示される。典型的には、予め定義されたデフォルトのアイコンが用いられる。
【００７２】
機器選択画面内の再生機器１０が選択されると、選択された再生機器１０に携帯端末３０からペアリング要求が送信される（ステップ３０４）。当該要求に応答することで、携帯端末３０及び再生機器１０がペアリング状態となる（パスキー認証等の図示は省略）（ステップ３０５）。
【００７３】
ペアリングが実行された後に、再生機器１０から、機器特徴情報として再生機器１０の色情報が送信される（ステップ３０６）。当該再生機器１０の色情報に基づいて、再生機器１０の色が反映されたアイコンや制御用の種々のＧＵＩ（図８〜図１１参照）が生成される（ステップ３０７）。これらの画像を介して、高い操作性により、再生機器１０を制御することが可能である（ステップ３０８〜３１０）。
【００７４】
図７に示すネットワーク通信では、携帯端末３０からデバイス検索メッセージ（M-SEARCHメッセージ）がマルチキャストで送信される（ステップ４０１）。ホームネットワーク１に接続された再生機器１０により、デバイス検索メッセージに応じて、デバイス応答メッセージ（M-SEARCHメッセージ）が返される（ステップ４０２）。これにより再生機器１０が検出される。
【００７５】
携帯端末３０により、再生機器１０の機器情報、及び機能情報が要求される。例えばHTTP GET等のメソッドを用いて生成された要求メッセージが用いられる。本実施形態では、機器特徴情報を含む機器情報が要求される（ステップ４０３）。再生機器１０により、機器特徴情報を含む機器情報、及び機能情報が返される（ステップ４０４）。
【００７６】
機器特徴情報に基づいて、再生機器１０の色が反映されたアイコンや制御用の種々のＧＵＩ（図８〜図１１参照）が生成される（ステップ４０５）。これらの画像を介して、高い操作性により、再生機器１０を制御することが可能である（ステップ４０６〜４０８）。
【００７７】
なお機器特徴情報が取得できない再生機器１０については、予め定められたデフォルトのアイコン及び制御用のＧＵＩが生成されて表示される。これによりユーザの操作性を高く維持することが可能となる。
【００７８】
以上、本実施形態に係るコンテンツ再生システム１００では、再生機器１０から出力された機器特徴情報に基づいて、再生機器１０の特徴が反映された画像が表示される。これにより制御対象の再生機器１０を容易に把握することが可能となり、操作性よく再生機器１０を制御することが可能となる。
【００７９】
例えば再生機器１０の外装色を反映してアイコンや制御画面を生成することで、統一感のある操作画面を構築することが可能となる。またコントラストの高い、非常に見やすい操作画面を構築することが可能となる。なおアイコンの色や背景色の色を適宜調整することで、画面のコントラストを向上させることも可能である。例えば図９に示す制御画面７０ａの機器表示部７１において、アイコンの赤色（Red）と背景色の赤色（Red）との色度や彩度等を異ならせて、コントラストを向上させることも可能である。
【００８０】
また本技術により、ユーザが自らアイコンやＧＵＩの色等を変更する手間を無くすことができ、また当該色の変更方法等を学習する必要もなくなる。この点においても、高い操作性を発揮することが可能となる。
【００８１】
＜その他の実施形態＞
本技術は、以上説明した実施形態に限定されず、他の種々の実施形態を実現することができる。
【００８２】
図１２は、他の実施形態に係る機器選択画面の構成例を示す模式図である。この実施形態にでは、機器特徴情報として、再生機器１０のシステム情報が取得される。再生機器１０のシステム情報とは、再生機器１０を構成する機能部品、例えばスピーカやアンプ等の情報を含む。これらの情報をもとに、システム情報が反映された、すなわち各機能部品の情報が反映されたアイコン及び種々のＧＵＩが生成される。
【００８３】
図１２に示す例では、同じデバイスＡに異なるスピーカが接続された再生機器１０のアイコン８１ａ〜８１ｃが表示される。１番上の赤色のデバイスＡには、スピーカＡが接続されている。２番目の緑色のデバイスＡには、スピーカＢが接続されている。３番目のデバイスＡには、スピーカＣが接続されている。これらのアイコン８１ａ〜８１ｃは、機器特徴情報として取得されたスピーカの情報に基づいて生成される。
【００８４】
このように本実施形態では、再生機器１０のシステム情報を反映したアイコン８１が生成されて表示される。例えばユーザにより、再生機器１０のスピーカ等がカスタマイズされる場合も多い。本実施形態では、そのカスタマイズされたスピーカがアイコンとして表示される。これにより制御対象となる再生機器１０を容易に把握することが可能となり、非常に高い操作性により再生機器１０を制御することが可能となる。
【００８５】
なお機器特徴情報は、再生機器の色やシステムに限定されない。再生機器が有する任意の特徴の情報が、機器特徴情報として用いられてよい。また再生機器に関する種々の機器情報や機能情報が、機器特徴情報として用いられてもよい。
【００８６】
例えば再生機器の機種名に、再生機器の色の情報が含まれる場合も有り得る。例えば外装色が赤色の再生機器の機種名として、「デバイスＡ（Ｒ）」等が付される場合もある。機種名内の「（Ｒ）」は赤色を表す文字である。このような機種名が機器特徴情報として用いられ、再生機器の色が反映されたアイコンやＧＵＩが生成されてもよい。すなわち独立したメタデータとして機器特徴情報が生成されてもよいし、他の機器情報等が機器特徴情報として用いられてもよい。
【００８７】
機器特徴情報に基づいて生成されたアイコンが、マルチルーム再生を制御するためのＧＵＩであるグループ状態画像に用いられる場合、非常に高い操作性により、グループの新規作成や解散、グループへの新規追加やグループからの離脱等を実行することができる。
【００８８】
上記ではユーザにより操作される携帯端末等のコンピュータにより、本技術に係る情報処理方法が実行される場合を説明した。しかしながらユーザが操作するコンピュータとネットワーク等を介して通信可能な他のコンピュータとにより、本技術に係る情報処理方法、及びプログラムが実行されてもよい。またユーザが操作するコンピュータと、他のコンピュータとが連動して、本技術に係るコンテンツ再生システムが構築されてもよい。
【００８９】
すなわち本技術に係る情報処理方法、及びプログラムは、単体のコンピュータにより構成されたコンピュータシステムのみならず、複数のコンピュータが連動して動作するコンピュータシステムにおいても実行可能である。なお本開示において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれもシステムである。
【００９０】
コンピュータシステムによる本技術に係る情報処理方法、及びプログラムの実行は、例えば機器特徴情報の取得、及び再生機器の特徴が反映された画像の生成が、単体のコンピュータにより実行される場合、及び各処理が異なるコンピュータにより実行される場合の両方を含む。また所定のコンピュータによる各処理の実行は、当該処理の一部または全部を他のコンピュータに実行させその結果を取得することを含む。
【００９１】
すなわち本技術に係る情報処理方法及びプログラムは、１つの機能をネットワークを介して複数の装置で分担、共同して処理するクラウドコンピューティングの構成にも適用することが可能である。
【００９２】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【００９３】
なお、本技術は以下のような構成も採ることができる。
（１）再生機器から出力される機器特徴情報を取得する取得部と、
前記取得された機器特徴情報に基づいて、前記再生機器の特徴が反映された画像を生成する生成部と
を具備する情報処理装置。
（２）（１）に記載の情報処理装置であって、
前記機器特徴情報は、前記再生機器の色を含み、
前記生成部は、前記再生機器の色が反映された前記再生機器のアイコンを生成する
情報処理装置。
（３）（１）又は（２）に記載の情報処理装置であって、
前記機器特徴情報は、前記再生機器の色を含み、
前記生成部は、前記再生機器の色が反映された、前記再生機器を制御するためのＧＵＩ（Graphical User Interface）を生成する
情報処理装置。
（４）（３）に記載の情報処理装置であって、
前記生成部は、前記再生機器の色と略等しい色の背景色を有する制御画面を生成する
情報処理装置。
（５）（１）から（４）のうちいずれか１つに記載の情報処理装置であって、
前記機器特徴情報は、前記再生機器のシステム情報を含み、
前記生成部は、前記再生機器のシステム情報が反映された前記再生機器のアイコンを生成する
情報処理装置。
（６）（５）に記載の情報処理装置であって、
前記システム情報は、前記再生機器を構成する機能部品の情報を含み、
前記生成部は、前記機能部品の情報が反映された前記再生機器のアイコンを生成する
情報処理装置。
（７）（６）に記載の情報処理装置であって、
前記機能部品の情報は、スピーカの情報を含み、
前記生成部は、前記スピーカの情報が反映された前記再生機器のアイコンを生成する
情報処理装置。
（８）（１）から（７）のうちいずれか１つに記載の情報処理装置であって、
前記生成部は、前記機器特徴情報を取得できない前記再生機器については、予め定められた画像を生成する
情報処理装置。
【符号の説明】
【００９４】
１０…再生装置
１１…ネットワークモジュール
１２…Bluetoothモジュール
３０…携帯端末
４３…情報取得部
４４…画像生成部
６０…機器選択画面
６１（６１ａ〜６１ｃ）、８１（８１ａ〜８１ｃ）…アイコン
７０（７０ａ〜７０ｃ）…制御画面
１００…コンテンツ再生システム
【図１】
2018032269.tif 000003
【図２】
2018032269.tif 000004
【図３】
2018032269.tif 000005
【図４】
2018032269.tif 000006
【図５】
2018032269.tif 000007
【図６】
2018032269.tif 000008
【図７】
2018032269.tif 000009
【図８】
2018032269.tif 000010
【図９】
2018032269.tif 000011
【図１０】
2018032269.tif 000012
【図１１】
2018032269.tif 000013
【図１２】
2018032269.tif 000014